(57)【要約】【課題】簡単な構造で破損のない伸縮アンテナを提供する。【解決手段】ロッド状エレメント１０の先端部に絶縁ロッド１６を配設し、絶縁ロッド１６の基端部外周にロッド状エレメント１０と電気的接続してジョイント１８を配設し、ヘリカルエレメント２２を配設したスリーブ４０を絶縁ロッド１６の先端部外周に配設する。ジョイント１８の先端側外周とスリーブ４０の基端側外周に跨り嵌合する可動スリーブ４４を軸方向移動自在に配設する。絶縁ロッド１６に遊嵌する給電金具２８を設け、その内周にチョーチンバネ３０を配設する。収縮状態で、給電金具２８の規制で可動スリーブ４４が絶縁ロッド１６の先端部側に位置し、チョーチンバネ３０が可動スリーブ４４に弾接する。絶縁ロッド１６の引き出しに対して、可動スリーブ４４は、チョーチンバネ３０による摩擦抵抗力で給電金具２８内に留まり、スリーブ４０とジョイント１８に跨り嵌合して電気的接続する。【選択図】　図３
2004032470.tif 000002
【特許請求の範囲】
【請求項１】
ロッド状エレメントの基端部に電気的接続状態に導電材からなるストッパーを配設し、前記ロッド状エレメントの先端部に絶縁材からなる絶縁ロッドを同軸上で先端方向に配設し、前記絶縁ロッドの基端部の外周に前記ロッド状エレメントと電気的接続状態に導電材からなるジョイントを配設し、前記絶縁ロッドの先端部の外周に導電材からなるスリーブを配設し、前記スリーブの先端に電気的接続状態にヘリカルエレメントを同軸上で先端方向に配設し、前記ジョイントの先端側外周と前記スリーブの基端側外周に跨り嵌合し得る導電材からなる可動スリーブを軸方向移動自在に配設し、前記ジョイントに前記可動スリーブが基端側に移動するのを規制する規制部を設け、前記ロッド状エレメントおよび前記絶縁ロッドに軸方向に移動自在に遊嵌する導電材からなる給電金具を設け、前記給電金具に前記可動スリーブが基端側に相対移動するのを規制する相対規制部を設け、前記給電金具の内周に径方向に弾性変形する導電性弾性部材を軸方向に相対移動しないように配設し、収縮状態で、前記給電金具の相対規制部により前記可動スリーブが前記絶縁ロッドの先端部側に移動され、前記導電性弾性部材が前記スリーブと前記可動スリーブに弾接し、前記絶縁ロッドの引き出しに対して、前記可動スリーブは、前記導電性弾性部材の弾接による摩擦抵抗力により前記ジョイントの前記規制部で移動が規制されるまで前記給電金具内に留まり、前記可動スリーブが前記スリーブと前記ジョイントに跨り嵌合して電気的接続し、さらなる引き出しに伴い、前記可動スリーブは前記絶縁ロッドとともに移動して前記給電金具から抜け出し、伸長状態で、前記導電性弾性部材が前記ストッパーに弾接するように構成したことを特徴とする伸縮アンテナ。
【請求項２】
ロッド状エレメントの基端部に電気的接続状態に導電材からなるストッパーを配設し、前記ロッド状エレメントの先端部に絶縁材からなる絶縁ロッドを同軸上で先端方向に配設し、前記絶縁ロッドの先端部の外周に導電材からなるスリーブを配設し、前記スリーブの先端に電気的接続状態にヘリカルエレメントを同軸上で先端方向に配設し、前記スリーブの基端側外周に嵌合する導電材からなる可動スリーブを軸方向移動自在に配設し、前記絶縁ロッドの基端部に前記可動スリーブが基端側に移動するのを規制する規制部を設け、前記ロッド状エレメントおよび絶縁ロッドに軸方向に移動自在に遊嵌する導電材からなる給電金具を設け、前記給電金具に前記可動スリーブが基端側に相対移動するのを規制する相対規制部を設け、前記給電金具の内周に径方向に弾性変形する導電性弾性部材を軸方向に相対移動しないように配設し、収縮状態で、前記給電金具の相対規制部により前記可動スリーブが前記絶縁ロッドの先端部側に移動され、前記導電性弾性部材が前記スリーブと前記可動スリーブに弾接し、前記絶縁ロッドの引き出しに対して、前記可動スリーブは前記導電性弾性部材の弾接による摩擦抵抗力により前記絶縁ロッドの規制部で移動が規制されるまで前記給電金具内に留まり、前記可動スリーブはその先端部が前記スリーブに嵌合しその基端部が前記ロッド状エレメントの先端部と容量結合し、さらなる引き出しに伴い、前記可動スリーブは前記絶縁ロッドとともに移動して前記給電金具から抜け出し、伸長状態で、前記導電性弾性部材が前記ストッパーに弾接するように構成したことを特徴とする伸縮アンテナ。
【請求項３】
請求項１または２記載の伸縮アンテナにおいて、前記ヘリカルエレメントを覆うトップと前記絶縁ロッドを絶縁樹脂により一体成形して構成したことを特徴とする伸縮アンテナ。
【請求項４】
請求項１記載の伸縮アンテナにおいて、前記ヘリカルエレメントと前記スリーブと前記ジョイントおよび前記ロッド状エレメントの先端部を成形金型にインサートして、前記ヘリカルエレメントを覆うトップと前記絶縁ロッドを絶縁樹脂により一体にインサート成形して構成したことを特徴とする伸縮アンテナ。
【請求項５】
請求項２記載の伸縮アンテナおいて、前記ヘリカルエレメントと前記スリーブおよび前記ロッド状エレメントの先端部を成形金型にインサートして、前記ヘリカルエレメントを覆うトップと前記絶縁ロッドを絶縁樹脂により一体にインサート成形して構成したことを特徴とする伸縮アンテナ。
【発明の詳細な説明】
【０００１】
【発明の属する技術分野】
本発明は、携帯電話などの通信機器のアンテナとして用いられる伸縮アンテナに関するものである。
【０００２】
【従来の技術】
従来の伸縮アンテナの一例を図８ないし図１２を参照して説明する。図８は、従来の伸縮アンテナの収縮状態の縦断面図である。図９は、伸長状態の縦断面図である。図１０は、収縮状態における要部拡大縦断面部分図である。図１１は、少し引き出した状態の要部拡大縦断面部分図である。図１２は、さらに引き出した状態の要部拡大縦断面部分図である。
【０００３】
図８および図９において、ロッド状エレメントの１０の外周にチューブ１２が被せられ、ロッド状エレメント１０の基端部に導電材からなるストッパーが電気的接続状態に固定配設される。このストッパー１４には引き出し方向の移動を規制する段差部１４ａが設けられる。ロッド状エレメント１０の先端部には同軸上で先端方向に絶縁樹脂からなる絶縁ロッド１６が固定配設される。またこの絶縁ロッド１６の基端部の外周に、ロッド状エレメント１０と電気的接続状態に導電材からなるジョイント１８か設けられる。そして、絶縁ロッド１６に導電材からなる可動スリーブ２０が軸方向に移動自在に配設され、その先端に同軸上で先端方向にヘリカルエレメント２２が電気的接続状態で配設される。しかも、このヘリカルエレメント２２の外周を覆うように内側トップ２４が絶縁樹脂などのにより可動スリーブ２０と一体に成形される。さらに、絶縁ロッド１６の先端部に、内側トップ２４が収容できる形状の外側トップ２６が、絶縁ロッド１６と一体成形される。なお、可動スリーブ２０の基端側は、ジョイント１８の先端側の外周に嵌合して電気的接続が可能である。しかも、ジョイント１８には、可動スリーブ２０が基端側に移動するのを規制する規制部としての段差１８ａが設けられる。また、ロッド状エレメント１０および可動スリーブ２０に軸方向に移動自在に遊嵌して導電材からなる給電金具２８が設けられる。この給電金具２８の内周には、径方向に弾性変形する導電性弾性部材としてのリン青銅やベリウム銅などの導電材からなるチョーチンバネ３０が軸方向に相対移動しないように配設される。そして、給電金具２８には、可動スリーブ２０が基端側に相対移動するのを規制する相対規制部としての狭搾部２８ａが設けられる。この給電金具２８は、携帯電話機の筐体に取り付け固定されるとともに接触片を介して適宜なアンテナ回路に電気的接続される。
【０００４】
かかる構成からなる従来の伸縮アンテナの動作を、以下説明する。まず、図８のごとく、収縮状態にあっては、給電金具２８に対して絶縁ロッド１６を最も押し込んだ状態であり外側トップ２６内に内側トップ２４が重なるように収容される。そして、内側トップ２４の基端部が給電金具２８の先端部に適宜に嵌合される。また、給電金具２８の狭搾部２８ａにより可動スリーブ２０は絶縁ロッド１６に対して相対的に先端側に位置し、ジョイント１８とは離されていて、電気的接続されない状態である。そして、図１０に示すごとく、給電金具２８内のチョーチンバネ３０が可動スリーブ２０に弾接する。もって、ヘリカルエレメント２２の基端が可動スリーブ２０とチョーチンバネ３０を介して給電金具２８に電気的接続される。そして、ロッド状エレメント１０は給電金具２８に電気的接続されない状態にある。ここで、図１０に示すごとく、可動スリーブ２０の外径ａは、給電金具２８の狭搾部１８ａの内径ｂよりも大きい。そして、この内径ｂは、ジョイント１８の段差１８ａによる太い部分の外径ｃよりも大きい。また、可動スリーブ２０の内径ｄは、ジョイント１８の段差１８ａによる細い部分の外径ｅに嵌合できる寸法に設定されている。
【０００５】
図８および図１０に示す収縮状態から、外側トップ２６を摘んで絶縁ロッド１６を少し引き出すと、図１１のごとく、チョーチンバネ３０の弾接により可動スリーブ２０に大きな摩擦抵抗力が生じて、給電金具２８に対して可動スリーブ２０は軸方向に相対移動せず、可動スリーブ２０に対して絶縁ロッド１６が軸方向に相対移動される。ここで、内側トップ２４から外側トップ２６が、図９に示すごとく重ならない状態となる。
【０００６】
さらに、絶縁ロッド１６を引き出すと、図１２に示すごとく可動スリーブ２０の基端部がジョイント１８の先端部に嵌合するとともに、段差１８ａにより絶縁ロッド１６に対する軸方向の相対移動が規制され、給電金具２８と可動スリーブ２０が相対的に軸方向にずれる。さらに、絶縁ロッド１６を引き出すと、図９のごとく、ロッド状エレメント１０の基端部のストッパー１４の段差部１４ａが給電金具２８に当接して先端方向への移動が規制される。ここで、チョーチンバネ３０がストッパー１４に弾接される。もって、ロッド状エレメント１０の基端部がストッパー１４とチョーチンバネ３０を介して給電金具２８に電気的接続される。ここで、可動スリーブ２０の基端部がジョイント１８の先端部に嵌合していて電気的接続が形成されている。したがって、図９の伸長状態では、ロッドエレメント１０の先端にヘリカルエレメント２２が電気的接続されたアンテナとして作用する。
【０００７】
なお、上記従来例の説明にあっては、チョーチンバネ３０の弾接による摩擦抵抗力により、可動スリーブ２０を給電金具２８と軸方向に相対移動させないように作用させているが、内側トップ２４の基端部と給電金具２８の先端部が弾力的に嵌合するように構成し、外側トップ２６を引き出したときに、内側トップ２４と給電金具２８の弾力的な嵌合により可動スリーブ２０が絶縁ロッド１６に対して軸方向に相対移動するように構成する場合もある。
【０００８】
【発明が解決しようとする課題】
上記した従来の構造の伸縮アンテナにあっては、外側トップ２６は、内側トップ２４を重ねて収容できるように形成されなければならず、しかも外側トップ２６の外径寸法が制約されており、薄い肉厚部分が破損され易いという不具合があった。また、絶縁ロッド１６にヘリカルエレメント２２と内側トップ２４を設けた可動スリーブ２０を軸方向に移動自在に構成しなければならず、その構造が複雑である。
【０００９】
本発明は、上述の従来の伸縮アンテナの事情を鑑みてなされたもので、構造が簡単でしかも破損されにくい伸縮アンテナを提供することを目的とする。
【００１０】
【課題を解決するための手段】
かかる目的を達成するために、本発明の伸縮アンテナは、ロッド状エレメントの基端部に電気的接続状態に導電材からなるストッパーを配設し、前記ロッド状エレメントの先端部に絶縁材からなる絶縁ロッドを同軸上で先端方向に配設し、前記絶縁ロッドの基端部の外周に前記ロッド状エレメントと電気的接続状態に導電材からなるジョイントを配設し、前記絶縁ロッドの先端部の外周に導電材からなるスリーブを配設し、前記スリーブの先端に電気的接続状態にヘリカルエレメントを同軸上で先端方向に配設し、前記ジョイントの先端側外周と前記スリーブの基端側外周に跨り嵌合し得る導電材からなる可動スリーブを軸方向移動自在に配設し、前記ジョイントに前記可動スリーブが基端側に移動するのを規制する規制部を設け、前記ロッド状エレメントおよび前記絶縁ロッドに軸方向に移動自在に遊嵌する導電材からなる給電金具を設け、前記給電金具に前記可動スリーブが基端側に相対移動するのを規制する相対規制部を設け、前記給電金具の内周に径方向に弾性変形する導電性弾性部材を軸方向に相対移動しないように配設し、収縮状態で、前記給電金具の相対規制部により前記可動スリーブが前記絶縁ロッドの先端部側に移動され、前記導電性弾性部材が前記スリーブと前記可動スリーブに弾接し、前記絶縁ロッドの引き出しに対して、前記可動スリーブは、前記導電性弾性部材の弾接による摩擦抵抗力により前記ジョイントの前記規制部で移動が規制されるまで前記給電金具内に留まり、前記可動スリーブが前記スリーブと前記ジョイントに跨り嵌合して電気的接続し、さらなる引き出しに伴い、前記可動スリーブは前記絶縁ロッドとともに移動して前記給電金具から抜け出し、伸長状態で、前記導電性弾性部材が前記ストッパーに弾接するように構成されている。
【００１１】
また、ロッド状エレメントの基端部に電気的接続状態に導電材からなるストッパーを配設し、前記ロッド状エレメントの先端部に絶縁材からなる絶縁ロッドを同軸上で先端方向に配設し、前記絶縁ロッドの先端部の外周に導電材からなるスリーブを配設し、前記スリーブの先端に電気的接続状態にヘリカルエレメントを同軸上で先端方向に配設し、前記スリーブの基端側外周に嵌合する導電材からなる可動スリーブを軸方向移動自在に配設し、前記絶縁ロッドの基端部に前記可動スリーブが基端側に移動するのを規制する規制部を設け、前記ロッド状エレメントおよび絶縁ロッドに軸方向に移動自在に遊嵌する導電材からなる給電金具を設け、前記給電金具に前記可動スリーブが基端側に相対移動するのを規制する相対規制部を設け、前記給電金具の内周に径方向に弾性変形する導電性弾性部材を軸方向に相対移動しないように配設し、収縮状態で、前記給電金具の相対規制部により前記可動スリーブが前記絶縁ロッドの先端部側に移動され、前記導電性弾性部材が前記スリーブと前記可動スリーブに弾接し、前記絶縁ロッドの引き出しに対して、前記可動スリーブは前記導電性弾性部材の弾接による摩擦抵抗力により前記絶縁ロッドの規制部で移動が規制されるまで前記給電金具内に留まり、前記可動スリーブはその先端部が前記スリーブに嵌合しその基端部が前記ロッド状エレメントの先端部と容量結合し、さらなる引き出しに伴い、前記可動スリーブは前記絶縁ロッドとともに移動して前記給電金具から抜け出し、伸長状態で、前記導電性弾性部材が前記ストッパーに弾接するように構成することもできる。
【００１２】
そして、前記ヘリカルエレメントを覆うトップと前記絶縁ロッドを絶縁樹脂により一体成形して構成しても良い。
【００１３】
【発明の実施の形態】
以下、本発明の第１実施例を図１ないし図５を参照して説明する。図１は、本発明の伸縮アンテナの第１実施例の収縮状態の縦断面図である。図２は、伸長状態の縦断面図である。図３は、収縮状態における要部拡大縦断面部分図である。図４は、少し引き出した状態の要部拡大縦断面部分図である。図５は、さらに引き出した状態の要部拡大縦断面部分図である。図１ないし図５において、図８ないし図１２に示す部材と同じまたは均等な部材には、同じ符号を付けて重複する説明を省略する。
【００１４】
図１および図２において、図８および図９と相違するところは、以下の点にある。まず、絶縁ロッド１６の先端側外周に、導電材からなるスリーブ４０が固定配設され、このスリーブ４０の先端に、同軸上で先端方向にヘリカルエレメント２２の基端部が電気的接続状態で配設される。そして、ヘリカルエレメント２２を覆うようにしてトップ４２が絶縁ロッド１６およびスリーブ４０と一体に設けられる。また、スリーブ４０の基端側の外周に、導電材からなる可動スリーブ４４が軸方向に移動自在に配設される。この可動スリーブ４４は、絶縁ロッド１６に対して基端側に移動された状態では、その先端部がスリーブ４０の基端部に嵌合し、その基端部がジョイント１８の先端部に嵌合して、スリーブ４０とジョイント１８の双方に跨るように構成される。
【００１５】
そして、図３に示すごとく、可動スリーブ４４の外径ｆは、給電金具２８の狭搾部２８ａの内径ｇよりも大きい。そして、この内径ｇは、ジョイント１８の太い部分の外径ｃよりも大きい。また、可動スリーブ４４の内径ｈは、ジョイント１８の細い部分の外径ｅに嵌合できる寸法に設定される。
【００１６】
かかる構成からなる本発明の伸縮アンテナの動作を、以下説明する。まず、図１および図３に示すごとく、収縮状態にあっては、給電金具２８に対して絶縁ロッド１６を最も押し込んだ状態であり、給電金具２８の狭搾部２８ａにより可動スリーブ４４が絶縁ロッド１６の先端側に位置し、可動スリーブ４４がスリーブ４０の外周に嵌合している。そして、チョーチンバネ３０がスリーブ４０と可動スリーブ４４にともに弾接している。そこで、ヘリカルエレメント２２がスリーブ４０とチョーチンバネ３０を介して給電金具２８に電気的接続される。ここで、可動スリーブ４４はジョイント１８に電気的接続されず、ロッド状エレメント１０はアンテナとして作用しない。
【００１７】
そして、トップ４２を少し引き出すと、図４のごとく、給電金具２８に対して絶縁ロッド１６が軸方向に移動されるが、可動スリーブ４４はチョーチンバネ３０の弾接による摩擦抵抗力により給電金具２８と軸方向の相対的位置が変化せずに給電金具２８内にあり、スリーブ４０に対して軸方向に相対移動される。
【００１８】
さらに、トップ４２を引き出すと、図５に示すごとく、可動スリーブ４４はジョイント１８の先端側に嵌合するとともに段差１８ａによりそれ以上の軸方向の移動が規制される。そして、可動スリーブ４４は、給電金具２８に対して軸方向に相対的ずれを生ずる。ここで、可動スリーブ４４は、スリーブ４０とジョイント１８の双方に跨って嵌合していて、スリーブ４０をジョイント１８に直流的に電気的接続されている。さらに、トップ４２を引き出せば、図２のごとく、給電金具２８にストッパー１４が当接して、引き出しが規制される。そして、ストッパー１４にチョーチンバネ３０が弾接される。もって、図２の伸長状態で、ロッド状エレメント１０の基端部がストッパー１４とチョーチンバネ３０を介して給電金具２８に電気的接続される。そして、ヘリカルエレメント２２とロッド状エレメント１０が可動スリーブ４４で直列に直流的に電気的接続されたアンテナとして作用する。
【００１９】
かかる本発明の伸縮アンテナの構造にあっては、スリーブ４２にヘリカルエレメント４２を固定した部品とジョイント１８およびロッド状エレメント１０の先端部を成形金型にインサートして、絶縁ロッド１６とトップ４２を絶縁樹脂により一体にインサート成形することができる。そして、これらの部材が一体化されているので構造が簡単であるとともに、肉厚の薄い部分もなく破損されにくい。
【００２０】
次に、本発明の第２実施例を図６および図７を参照して説明する。図６は、本発明の伸縮アンテナの第２実施例の収縮状態の縦断面図である。図７は、伸長状態の縦断面図である。図６および図７において、図１ないし図５および図８ないし図１２と同じまたは均等な部材には同じ符号を付けて重複する説明を省略する。
【００２１】
図６および図７に示す第２実施例で、第１実施例と相違するところは、絶縁ロッド１６の基端部にジョイント１８が設けられず、可動スリーブ４４の基端側への移動を規制する規制部として、絶縁ロッド１６に膨大部１６ａが設けられたことにある。
【００２２】
かかる構造の第２実施例では、トップ４２の引き出しにともない可動スリーブ４４は絶縁ロッド１６の基端側に相対的に移動され、膨大部１６ａで移動が規制される。そこで、図７の伸長状態では、可動スリーブ４４の先端部はスリーブ４０に嵌合し、基端部はロッド状エレメント１０の先端部に臨む位置にあり、ロッド状エレメント１０の先端部に直列に容量結合される。
【００２３】
そこで、この第２実施例にあっては、収縮状態ではヘリカルエレメント２２がアンテナとして動作し、ロッド状エレメント１０はアンテナとして作用しない。そして、伸長状態ではヘリカルエレメント２２とロッド状エレメント１０が直列に容量結合されたアンテナとして動作する。
【００２４】
【発明の効果】
以上説明したように、本発明の伸縮アンテナは構成されているので、以下のごとき格別な効果を奏する。
【００２５】
請求項１または２記載の伸縮アンテナにあっては、トップの部分の構造が従来例に比較して構造が簡単であり、肉厚の薄い部分もなく、破損されにくい。
【００２６】
請求項３記載の伸縮アンテナにあっては絶縁ロッドとトップを一体成形するので部品点数も少なく製造が容易である。
【００２７】
請求項４または５記載の伸縮アンテナは、多くの部材をインサート成形により一体化することができ、部品点数が極めて少なく、量産に好適である。
【図面の簡単な説明】
【図１】本発明の伸縮アンテナの第１実施例の収縮状態の縦断面図である。
【図２】本発明の伸縮アンテナの第１実施例の伸長状態の縦断面図である。
【図３】本発明の伸縮アンテナの第１実施例の収縮状態における要部拡大縦断面部分図である。
【図４】本発明の伸縮アンテナの第１実施例の少し引き出した状態の要部拡大縦断面部分図である。
【図５】本発明の伸縮アンテナの第１実施例のさらに引き出した状態の要部拡大縦断面部分図である。
【図６】本発明の伸縮アンテナの第２実施例の収縮状態の縦断面図である。
【図７】本発明の伸縮アンテナの第２実施例の伸長状態の縦断面図である。
【図８】従来の伸縮アンテナの収縮状態の縦断面図である。
【図９】従来の伸縮アンテナの伸長状態の縦断面図である。
【図１０】従来の伸縮アンテナの収縮状態における要部拡大縦断面部分図である。
【図１１】従来の伸縮アンテナの少し引き出した状態の要部拡大縦断面部分図である。
【図１２】従来の伸縮アンテナのさらに引き出した状態の要部拡大縦断面部分図である。
【符号の説明】
１０　ロッド状エレメント
１４　ストッパー
１４ａ　段差部
１６　絶縁ロッド
１８　ジョイント
１８ａ　段差
２０，４４　可動スリーブ
２２　ヘリカルエレメント
２８　給電金具
２８ａ　狭搾部
３０　チョーチンバネ
４０　スリーブ
４２　トップ
【図１】
2004032470.tif 000003
【図２】
2004032470.tif 000004
【図３】
2004032470.tif 000005
【図４】
2004032470.tif 000006
【図５】
2004032470.tif 000007
【図６】
2004032470.tif 000008
【図７】
2004032470.tif 000009
【図８】
2004032470.tif 000010
【図９】
2004032470.tif 000011
【図１０】
2004032470.tif 000012
【図１１】
2004032470.tif 000013
【図１２】
2004032470.tif 000014